(57)【特許請求の範囲】
【請求項１】
複数の太陽電池を有する少なくとも一対の太陽電池パネルと、これらの太陽電池パネル間に配置されるカバー材とを含んで構成された太陽電池パネルの取付構造であって、
前記カバー材は、断面略Ｔ字形状に形成され、その下端部が、前記各太陽電池パネルの対向し合う端縁を支持する支持部材に回動自在に取り付けられ、
前記太陽電池パネルの各太陽電池を接続する接続線は、前記カバー材で覆われていることを特徴とする太陽電池パネルの取付構造。
【請求項２】
請求項１に記載の太陽電池パネルの取付構造において、
前記カバー材の下端部には、前記カバー材の長手方向に沿って連続した円柱状部が形成されており、前記支持部材には、前記円柱状部が回動自在に嵌合する保持部が形成されていることを特徴とする太陽電池パネルの取付構造。
【請求項３】
請求項１または請求項２に記載の太陽電池パネルの取付構造において、
前記カバー材は、アルミ製であることを特徴とする太陽電池パネルの取付構造。
【発明の詳細な説明】
【０００１】
【発明の属する技術分野】
本発明は、太陽電池パネルの取付構造に関するものである。
【０００２】
【背景技術】
従来より、太陽エネルギーを変換して電気として利用できるようにする太陽電池パネルがある。このようなパネルを住宅等の屋根の傾斜面に沿って上下左右に複数枚設置することにより、太陽エネルギー変換装置が構成される。
この際、太陽電池パネル内に設けられた複数の太陽電池は、電気的に互いに直列に接続されており、その接続線が太陽電池パネルの端縁側に集約されている。
【０００３】
一方、このような太陽電池パネルの取付構造としては、屋根の野地板に一対のレール状の支持部材を傾斜方向に沿って敷設するとともに、この一対の支持部材で太陽電池パネルの両端縁を支持させ、隣接する各太陽電池パネル間においては、雨水等の浸入を防止するカバー材を取り付けていた。
この際、カバー材を、各太陽電池パネルの互いに対向し合う端縁に形成された溝にスライドさせてはめ込んでいた。
【０００４】
【発明が解決しようとする課題】
しかしながら、各太陽電池同士を接続する接続線は、太陽電池パネルの端縁側に集約されているため、この集約された部分が外側から見えることで、太陽電池パネルの外観が損なわれるという問題があった。
その上、カバー材は、太陽電池パネルの溝にスライドさせてはめ込まれているので、太陽電池パネルの製造誤差や取付誤差等によって、隣接する太陽電池パネル間の幅寸法が変わると、各太陽電池パネルの溝にカバー材をはめ込みにくくなることがあり、太陽電池パネルの取付作業が困難になるという問題もあった。
【０００５】
本発明の第１の目的は、外観が良好な太陽電池パネルの取付構造を提供することにある。
また、本発明の第２の目的は、取付作業を容易にできる太陽電池パネルの取付構造を提供することにある。
【０００６】
【課題を解決するための手段】
本発明は、図面を参照して説明すると、複数の太陽電池２１（セル）を有する少なくとも一対の太陽電池パネル２０と、これらの太陽電池パネル間に配置されるカバー材３０とを含んで構成する太陽電池パネルの取付構造であって、各太陽電池パネルの対向し合う端縁を支持する支持部材４０を設け、カバー材を断面略Ｔ字形状に形成し、その下端部３１を前記支持部材に回動自在に取り付け、太陽電池パネルの各太陽電池を接続する接続線２１Ａを、前記カバー材で覆うことを特徴とする。
【０００７】
接続線をカバー材で覆うことによって、集約された接続線が太陽電池パネルの外側から見えなくなり、太陽電池パネルの外観が良好になる。
これにより、前述の第１の目的が達成される。
この際、接続線はカバー材で完全に覆われていなくてもよく、太陽電池パネルの外観を損なわない程度に覆われていればよい。
【０００８】
また、カバー材を支持部材に取り付けているので、従来のように各太陽電池パネルの溝にスライドさせてはめ込む場合に比べて、隣接する各太陽電池パネルの製造誤差や取付誤差等を殆ど考慮する必要がなく、隣接する太陽電池パネル間の幅寸法が変わっても、カバー材が確実に取り付けられるようになり、太陽電池パネルの取付作業が容易になる。
これにより、前述した第２の目的が達成される。
【０００９】
さらに、カバー材を支持部材に回動自在に取り付けているので、例えば、太陽電池パネルの取付誤差等により、各太陽電池パネルが多少斜めに取り付けられた場合でも、カバー材を回動させることによって、太陽電池パネルの上面に対応してカバー材の取付位置が確実に合わせられるようになり、太陽電池パネル間の止水性が向上する。
【００１０】
また、カバー材の下端部にカバー材の長手方向に沿って連続した円柱状部３１Ａを形成し、支持部材に円柱状部が回動自在に嵌合する保持部４０Ａを形成することが好ましい。
【００１１】
特に、カバー材の下端部に円柱状部を形成し、支持部材に保持部を形成していれば、カバー材を支持部材に回動自在に取り付けるためには、カバー材の円柱状部を支持部材の保持部に嵌合するだけでよく、その取付作業がより一層容易になる。
【００１２】
さらに、カバー材としては、鉄製や木製でもよいが、特にアルミ製であれば、軽量かつ取扱いが容易になるため、カバー材の取付作業をより容易になり、ひいては、太陽電池パネルの取付作業がより一層容易になる。
【００１３】
【発明の実施の形態】
以下に本発明の実施の形態を図面に基づいて説明する。
図１には、本発明の一実施形態を適用した建物１０が示されている。
建物１０は、建物本体１１と建物本体１１の上部に形成された屋根１２とを備え、屋根１２の一方の傾斜面は、その傾斜方向および桁行方向に複数配置された太陽電池パネル２０と、これらの太陽電池パネル２０の左右間に配置されたカバー材３０と、太陽電池パネル２０を支持する支持部材４０（図２）とで構成されている。
【００１４】
太陽電池パネル２０は、図２にも示すように、複数の太陽電池２１と、これらの太陽電池２１を収めた透明でかつ平板状の防水ケース２２とを有している。
太陽電池２１は、屋根１２の傾斜方向に沿って２列に配置されて、電気的に互いに直列に接続されており、その接続線２１Ａが太陽電池パネル２０の左右の端縁側に引き出されて集約されている。
防水ケース２２は、各々２本の縦枠２３、横枠２４を備えており、これらの縦枠２３、横枠２４によって、太陽電池パネル２０全体の防水および補強がなされ、内部の太陽電池２１が、雨水による漏電や短絡等の事故および太陽電池パネル２０の表面に加わる荷重等から保護されるようになっている。
【００１５】
このような太陽電池パネル２０は、左右の端縁が図３にも示すように、屋根１２の傾斜方向に沿って野地板１３上に取り付けられた一対のレール状の支持部材４０に固定されている。
ここで、野地板１３は、合板等の面材であり、表面にアスファルトルーフィング等のシート材１３Ａが貼り付けられている。
【００１６】
カバー材３０は、屋根１２の傾斜方向の長手方向に沿って連続して設けられて太陽電池パネル２０間の隙間を塞ぐ閉塞部３０Ａと、この閉塞部３０Ａの略中心から下方に垂直に延出された延出部３０Ｂとから構成され、アルミ製で断面略Ｔ字形状に形成されている。延出部３０Ｂの下端部３１には、カバー材３０の長手方向に沿って連続した円柱状部３１Ａが形成されている。
さらに、カバー材３０における閉塞部３０Ａの幅寸法は、太陽電池２１同士を接続する接続線２１Ａを覆う大きさとされ、接続線２１Ａが外側から見えないようになっている。
【００１７】
一方、支持部材４０は、太陽電池パネル２０の縦枠２３を受けるパネル受け部４１と、前記パネル受け部４１を支持し、屋根１２に固定されるパネル支持部４２とから中空状に形成されている。
ここで、パネル受け部４１には、例えば図示しないビス等で太陽電池パネル２０の縦枠２３が固定されているとともに、パネル受け部４１の長手方向に沿った両端には、太陽電池パネル２０とカバー材３０との間から万が一浸入してきた雨水等が野地板１３上に落ちることを防ぐ樋部４１Ａが形成されている。
また、パネル受け部４１の略中央には、カバー材３０を取り付ける保持部４０Ａが支持部材４０の長手方向に沿って形成されている。この保持部４０Ａは、上方が切り欠かれた円筒状とされ、カバー材３０の円柱状部３１Ａが回動自在に嵌合される構造となっている。
【００１８】
以下に、太陽電池パネル２０の取付方法を説明する。
まず、屋根１２のシート材１３Ａ上に支持部材４０を屋根１２の傾斜方向に沿って敷設する。この際、支持部材４０間の幅寸法は各太陽電池パネル２０の縦枠２３間の幅寸法に準ずる。
そして、支持部材４０上に複数の太陽電池パネル２０を上下左右に並べて、例えば上方からビス等で固定する。次に、図２中の２点鎖線で示すように、カバー材３０の円柱状部３１Ａを支持部材４０の保持部４０Ａに、屋根１２の傾斜面の上方からスライドさせて嵌合する。
カバー材３０を支持部材４０に嵌合した後、隣接する各太陽電池パネル２０の製造誤差や取付誤差によって生ずる段差や傾斜等に応じてカバー材３０を回動させ、カバー材３０の太陽電池パネル２０に対して位置調整を行う。
このようにして、太陽電池パネル２０を取り付ける。
【００１９】
このような本実施形態によれば、次のような効果が得られる。
接続線２１Ａがカバー材３０で覆われていることによって、集約された接続線２１Ａを太陽電池パネル２０の外側から見えなくすることができるので、太陽電池パネル２０の外観を良好にすることができる。
【００２０】
また、カバー材３０が支持部材４０に取り付けられているため、従来のように各太陽電池パネル２０の溝にスライドさせてはめ込む場合に比べて、隣接する各太陽電池パネル２０の製造誤差や取付誤差等を殆ど考慮する必要がない。
このため、隣接する太陽電池パネル２０間の幅寸法が変わっても、カバー材３０を確実に取り付けることができ、太陽電池パネル２０の取付作業を容易に行うことができる。
【００２１】
さらに、カバー材３０が支持部材４０に回動自在に取り付けられているので、例えば、太陽電池パネル２０の取付誤差等により、各太陽電池パネル２０が斜めに取り付けられた場合や隣接する太陽電池パネル２０同士に段差が生じた場合でも、カバー材３０を回動させることによって、太陽電池パネル２０の上面に対応してカバー材３０の取付位置が簡単かつ確実に合わせることができ、太陽電池パネル２０間の止水性を向上させることができる。
【００２２】
また、カバー材３０は、接続線２１Ａを覆う程度に幅寸法が大きく形成されているので、隣接する太陽電池パネル２０間の隙間に雨水等が浸入するのをより一層防止することができ、各太陽電池パネル２０間の防水性能をさらに向上させることができる。
【００２３】
また、特に、カバー材３０の下端部３１に円柱状部３１Ａが形成され、支持部材４０に保持部４０Ａが形成されていることによって、カバー材３０を支持部材４０に回動自在に取り付けるために、カバー材３０の円柱状部３１Ａを支持部材４０の保持部４０Ａにスライドさせて嵌合するだけでよく、その取付作業をより一層容易にできる。
【００２４】
さらに、アルミ製のカバー材３０を用いることによって、軽量かつ取扱いを容易にできるので、カバー材３０の取付作業がより容易にでき、ひいては、太陽電池パネル２０の取付作業をより一層容易に行うことができる。
【００２５】
なお、本発明は前記実施の形態に限定されるものではなく、本発明の目的を達成できる他の構成等を含み、以下に示すような変形等も本発明に含まれる。
例えば、前記実施形態では、カバー材３０はアルミ製であったが、これに限らず、例えば、鉄製や木製でもよい。
但し、特にアルミ製のカバー材３０を用いれば、前述した効果が得られるのでよい。
【００２６】
また、前記実施形態では、カバー材３０の下端部３１には、円柱状部３１Ａが形成され、支持部材４０には、保持部４０Ａが形成され、保持部４０Ａに円柱状部３１Ａが嵌合されていたが、これに限らず、例えば、カバー材３０の下端部３１に円筒状の保持部が形成され、支持部材４０に円柱状部が形成されていてもよく、このような場合でも、前述した効果が得られるのでよい。
【００２７】
さらに、前記実施形態では、カバー材３０の下端部３１が支持部材４０に回動自在に取り付けられていたが、これに限らず、例えば、カバー材３０の下端部３１を支持部材４０にねじ止めや溶接等で固定してもよい。
但し、カバー材３０が支持部材４０に対して回動自在に取り付けられていれば、前述した効果が得られるのでよい。
【００２８】
また、前記実施形態では、カバー材３０は断面略Ｔ字形状に形成されていたが、これに限らず、接続線２１Ａを覆うことができ、かつ、隣接する太陽電池パネル２０間の隙間を塞ぐことができればよく、その形状は実施に当たって適宜決められればよい。
【００２９】
さらに、前記実施形態では、カバー材３０は支持部材４０に取り付けられていたが、これに限らず、各太陽電池パネル２０の縦枠２３に取り付けられてもよく、この場合でも前述した第１の目的を達成できる。
【００３０】
また、前記実施形態では、屋根１２の傾斜方向に沿った太陽電池パネル２０の取付構造を示したが、これに限らず、屋根１２の傾斜方向に直交する方向に沿った太陽電池パネル２０の取り付けにも適用できる。
【００３１】
【発明の効果】
以上に述べたように、本発明の太陽電池パネルの取付構造によれば、太陽電池パネルの各太陽電池を接続する接続線がカバー材で覆われているため、集約された接続線を太陽電池パネルの外側から見えなくすることができ、太陽電池パネルの外観を良好にできるという効果がある。
【図面の簡単な説明】
【図１】本発明の一実施形態における太陽電池パネルの取付構造が適用された建物を示す斜視図である。
【図２】前記太陽電池パネルの取付構造を示す斜視図である。
【図３】前記太陽電池パネルの取付構造を示す断面図である。
【符号の説明】
２０  太陽電池パネル
３０  カバー材
４０  支持部材
４０Ａ  保持部
２１  太陽電池
２１Ａ  接続線
３１  下端部
３１Ａ  円柱状部
【図１】
0003961077.tif 000002
【図２】
0003961077.tif 000003
【図３】
0003961077.tif 000004